(57)【要約】【課題】構内通話システムのＩＰ化機能を選択肢として与えられるような無線基地局装置を提供する。【解決手段】無線部６から受信されたＡＤＰＣＭ符号の音声データは、符号変換部７にて、ＰＣＭ符号に変換されて、バスラインに読み出され、ＡＤＳＬ回線接続であれば、ＡＤＳＬインタフェース部３に転送され、ＬＡＮ回線接続であれば、ＬＡＮインタフェース部４に転送される。逆に、ＡＤＳＬ回線又はＬＡＮ回線より伝送されてきたＰＣＭ符号の音声データは、符号変換部７にて、ＡＤＰＣＭ符号に変換され、無線部６を経てアンテナへ送られる。【選択図】図１
2009171105.tif 000002
【特許請求の範囲】
【請求項１】
無線部と、制御部と、符号変換部と、ＬＡＮインタフェース部と、ＡＤＳＬインタフェース部と、ピンポン伝送部とを備え、ピンポン伝送回線、ＬＡＮ回線またはＡＤＳＬ回線に選択接続し、中継を行う無線基地局装置であって、
前記符号変換部は、
前記ＬＡＮ回線または前記ＡＤＳＬ回線に接続されている場合に、前記無線部で受信されたＡＤＰＣＭ符号の音声データをＰＣＭ符号に変換して出力し、
前記ＡＤＳＬインタフェース部または前記ＬＡＮインタフェース部から転送されたＰＣＭ符号の音声データをＡＤＰＣＭ符号に変換して出力し、
前記ＬＡＮインタフェース部は、
前記ＬＡＮ回線に接続されている場合に、前記符号変換部からのＰＣＭ符号をパケット符号構成にし、更に、Ｅｔｈｅｒｎｅｔ（登録商標）フレームに変換して、前記ＬＡＮ回線に送出し、
前記ＡＤＳＬインタフェース部は、
前記ＡＤＳＬ回線に接続されている場合に、前記符号変換部からのＰＣＭ符号をパケット符号構成にし、更に、ＡＴＭフレームに変換して、前記ＡＤＳＬ回線に送出し、
前記ピンポン伝送部は、
前記ピンポン伝送回線に接続されている場合に、ＡＤＰＣＭ符号で、前記ピンポン伝送回線に送出する構成とした無線基地局装置。
【発明の詳細な説明】
【技術分野】
【０００１】
本発明は、無線中継方式に関し、特にＩＰ電話接続に供して好適な無線基地局装置に関する。
【背景技術】
【０００２】
簡易型携帯電話システム（ＰＨＳ；Ｐｅｒｓｏｎａｌ  Ｈａｎｄｙｐｈｏｅ  Ｓｙｓｔｅｍ）は、特に事業所用の構内通信システム（制御装置（ＣＴＥ）、基地局装置（ＢＳ）、移動局装置（ＰＳ））として拡充されてきている。
【０００３】
この従来のシステムは、加入回線として課金される外線電話への接続機能を有する。
【０００４】
一方、近年にあっては、都度通話の課金がなされないＩＰ（Ｉｎｔｅｒｎｅｔ  Ｐｒｏｔｏｃｏｌ）電話方式が、経費節減の理由から用いられるようになった。
【０００５】
ＰＨＳ方式による構内通信システムにおいても、従来方式に加え、ＩＰ電話化への選択肢要求が強まってきた。
【０００６】
図３に、従来技術を用いた、事業所用の構内通信システムの基地局装置としてＢＳ（ＰＨＳ無線基地局）２１のブロック図を示し概略説明する。
【０００７】
ＢＳ２１は、電源部１、ピンポン伝送部２，制御部５０、無線部６，２線式メタリックケーブル接続部（ＲＪ−１１）８０などから構成されている。
【０００８】
２線式メタリックケーブル接続部８０は、外部の一般電話回線に接続されるモジュラコネクタ（ＲＪ−１１；通常２線式）である。
【０００９】
ピンポン伝送部（Ｐ．Ｐ）２は、一方端が回線側のＲＪ−１１に接続され、Ｐ．Ｐ処理機能回路の他端が、制御部５０（ＢＡＳＥ−Ｂａｎｄ）に接続されるピンポン伝送処理回路（Ｐ．Ｐ；ピンポン伝送方式；Ｐｉｎｇ−Ｐｏｎｇ  ｔｒａｎｓｍｉｓｓｉｏｎ  ｓｙｓｔｅｍ）である。
【００１０】
制御部５０は、ＣＰＵ機能を持つＭＰＵ−ＣＯＲＥ回路と、これに接続され、ピンポン伝送部２からの信号をＢＡＳＥ−Ｂａｎｄ回路にてベースバンド信号処理してＰＨＳ無線用の変復調を行うＭＯＤＥＭ回路とを有し、音声データの授受の制御を行う。
【００１１】
無線部６は、制御部５０（ＭＯＤＥＭ回路）と接続され、アンテナを介して、無線によるＰＨＳ端末機（ＰＳ；移動局装置）との回線を構成させる無線増幅回路である。
【００１２】
電源部１は、上記電話回線（２線式メタリックケーブル）からＤＣ電圧を取り出し、内部回路に必要な電圧にして供給する電圧変換回路である。
【００１３】
さて、ＩＰ電話化に際して、このような従来システム（既存システム機器）をできるだけ流用し、更に、既存の敷設ケーブルを流用した上で、新たに、ＩＰ電話が行えるシステム拡充（制御装置、基地局装置）が必要とされ、特に、多様な回線接続方式を有し、かつＩＰ化が容易な基地局装置が望まれた。
【００１４】
本発明の先行技術として、ＲＳ−２３２Ｃ等のシリアルインタフェースを備えたデバイス（計測装置など）に対し、ＬＡＮインタフェースを備えたＰＣによって無線での制御を行うため、ＰＨＳ方式を用いたモデムを介してＬＡＮ回線に接続させる提案がある。（例えば、特許文献１  参照）
【特許文献１】特開２００５−１８４０５３号公報（図１）
【発明の開示】
【発明が解決しようとする課題】
【００１５】
図３の従来技術では、ＩＰ電話（ＶｏＩＰ；Ｖｏｉｃｅ  ｏｖｅｒ  Ｉｎｔｅｒｎｅｔ  Ｐｒｏｔｏｃｏｌ；インターネットなどのネットワークを使って音声データを送受する技術）機能を備えていないので、外線接続時にランニングコスト（都度通話料）が大きい。
【００１６】
更に、ＢＳなどの装置移設の際、または、ＢＳの新規設置、増設時には、新規専用ケーブル敷設の配線工事が必要となり、いずれにおいても工事費用が大きくなる。
【００１７】
従来の敷設ケーブルおよび信号線給電方式を流用できるほか、従来技術であるＰ．Ｐ伝送接続、一般化したＬＡＮ回線接続ならびにＡＤＳＬ回線接続が行え、ユーザ側のシステム状況に適合させるように、選択肢を与えられるようなＢＳであり、配線などの工事費を低減できるようなＢＳが無かった。
【００１８】
本発明の目的は、上記従来技術の問題点を解決し、構内通話システムのＩＰ化機能を選択肢として与えられるような無線基地局装置を提供することにある。
【課題を解決するための手段】
【００１９】
この目的を達成するために、本発明の無線基地局装置は、無線部と、制御部と、符号変換部と、ＬＡＮインタフェース部と、ＡＤＳＬインタフェース部と、ピンポン伝送部とを備え、ピンポン伝送回線、ＬＡＮ回線またはＡＤＳＬ回線に選択接続し、中継を行う無線基地局装置であって、
前記符号変換部は、前記ＬＡＮ回線または前記ＡＤＳＬ回線に接続されている場合に、前記無線部で受信されたＡＤＰＣＭ符号の音声データをＰＣＭ符号に変換して出力し、前記ＡＤＳＬインタフェース部または前記ＬＡＮインタフェース部から転送されたＰＣＭ符号の音声データをＡＤＰＣＭ符号に変換して出力し、
前記ＬＡＮインタフェース部は、前記ＬＡＮ回線に接続されている場合に、前記符号変換部からのＰＣＭ符号をパケット符号構成にし、更に、Ｅｔｈｅｒｎｅｔ（登録商標）フレームに変換して、前記ＬＡＮ回線に送出し、
前記ＡＤＳＬインタフェース部は、前記ＡＤＳＬ回線に接続されている場合に、前記符号変換部からのＰＣＭ符号をパケット符号構成にし、更に、ＡＴＭフレームに変換して、前記ＡＤＳＬ回線に送出し、
前記ピンポン伝送部は、前記ピンポン伝送回線に接続されている場合に、ＡＤＰＣＭ符号で、前記ピンポン伝送回線に送出する構成とした。
【００２０】
更に、ＬＡＮ回線に接続されている場合に、ＬＡＮインタフェース部を介して受信したＥｔｈｅｒｎｅｔ（登録商標）フレームを、ＰＣＭ符号からＡＤＰＣＭ符号に変換して、無線部からＰＨＳ端末に送信すること、及び、ＡＤＳＬ回線に接続されている場合に、ＡＤＳＬインタフェースを介して受信したＡＴＭフレームを、ＰＣＭ符号からＡＤＰＣＭ符号に変換して、無線部からＰＨＳ端末に送信する構成とした。
【発明の効果】
【００２１】
本発明によれば、構内通話システムのＩＰ化（ＶｏＩＰ機能を有するシステム）が達成され、外線使用時の通信費用低減が図られる。
【００２２】
また、ＬＡＮインタフェースを使用することにより、一般化されたＬＡＮケーブルを用いるので、移設、増設時において、従来の専用ケーブルの配線工事が不要となる。
【００２３】
新規据え付けにおいて、基幹のＬＡＮケーブルを敷設することで、回線工事規模を軽減できる。
【００２４】
ＡＤＳＬインタフェースを持つことにより、既存のケーブルを流用したままＩＰ化を達成できる。
【００２５】
従来システムからＩＰ化システムへの移行後においても、従来機能を保有したままのＰＨＳ基地局（ＢＳ）として動作させることも可能である。
【００２６】
本発明のＢＳ（ＩＰ―ＢＳ装置）においても、通信回線からの電源供給が可能であるので、外部ＡＣ電源を新設する必要がない。
【発明を実施するための最良の形態】
【００２７】
図２に、本発明の一実施形態の無線基地局装置のシステム構成図を示し、説明する。
【００２８】
本発明のシステム構成は、構内ＰＨＳ無線システムとして、制御装置３０（ＣＴＥ）と、ＢＳ装置２１（ＰＨＳ無線基地局）と、少なくとも１つのＩＰ−ＢＳ装置２０（ＩＰ対応構内ＰＨＳ基地局）と、複数のＰＨＳ端末機４０（ＰＳ）とで構成される。
【００２９】
制御装置３０（ＣＴＥ）は、ＢＳ装置２１に接続され、ＢＳのＰ．Ｐ伝送制御を行うＢＳＩＦ基板と、ＩＰ−ＢＳ装置２０に接続され、ＩＰ−ＢＳ装置のＡＤＳＬ回線制御を行うＡＤＳＬＩＦ基板と、ＩＰ−ＢＳ装置２０および外部（上位）ＬＡＮ回線に、必要によりＨＵＢを介して接続され、複数のＬＡＮ回線制御を行うＬＡＮＩＦ基板と、これらの基板回路を統合制御し、外部ネットワークＬＡＮ回線の制御を含むシステム制御を行うＭＣＰ基板とから構成される。
【００３０】
複数のＬＡＮ回線接続に際し、必要により、複数のポートを有するハブ（ＨＵＢ）をＬＡＮ中継器として用い、ＬＡＮ回線をカスケード接続する構成としてもよい。
【００３１】
制御装置３０（ＢＳＩＦ）と  ＢＳ２１との間、および、制御装置３０（ＡＤＳＬＩＦ）とＩＰ−ＢＳ装置２０（Ｃ）との間は、それぞれ専用の２線式のケーブルで接続される。
【００３２】
制御装置３０（ＬＡＮＩＦ）とＩＰ−ＢＳ装置２０（Ａ，Ｂ）との間は、ＬＡＮ接続型のＩＰ−ＢＳ装置であるので、一般汎用のＬＡＮケーブルで接続される。
【００３３】
ＢＳ２１（ＰＨＳ無線基地局）は、ピンポン伝送処理回路（Ｐ．Ｐ）、ベースバンド信号処理、無線増幅などの従来技術の基地局機能である。
【００３４】
ＩＰ−ＢＳ２０装置（Ａ）、２０（Ｂ）、２０（Ｃ）（ＩＰ対応構内ＰＨＳ基地局）は、以下に詳細を記載する本発明の実施例の構成を有する、３種類の接続形態をもつＰＨＳ基地局機能を備えた無線基地局装置である。なお、ＩＰ−ＢＳ装置２０（Ａ）、２０（Ｂ）、２０（Ｃ）は、それぞれ同じ構成であるので、以下では、個別表示の場合を除き、ＩＰ−ＢＳ装置２０と称する。
【００３５】
ＰＳ４０（Ａ、Ｂ，Ｃ，Ｍ，Ｎ，Ｐ）は、ＢＳ２１およびＩＰ−ＢＳ装置２０と無線回線により接続される、ＰＨＳシステムの移動局である。
【００３６】
本発明の実施例として、ＩＰ−ＢＳ装置２０の回路構成を図１に示し、説明する。
【００３７】
ＩＰ−ＢＳ装置２０は、電源部１（Ａ）、１（Ｂ）、ピンポン伝送部２，ＡＤＳＬインタフェース部３、ＬＡＮインタフェース部４、制御部５、無線部６，符号変換部７，２線式メタリックケーブル接続部８、回線切替スイッチ９，ＬＡＮ接続部１０および記憶素子（ＲＡＭ、Ｆｌａｓｈ  Ｍｅｍｏｒｙ）から構成されている。
【００３８】
電源部１は、電源部１（Ａ）と１（Ｂ）とからなる。電源部１（Ａ）は、２線式メタリックケーブルに重畳されたＤＣ電圧を２線式メタリックケーブル接続部８を経由してＤＣ／ＤＣコンバータに供給され、各部の回路ブロックに必要な動作電圧（Ｖｃｃなど）を得るために、降圧または昇圧して各部に供給する。一方、電源部１（Ｂ）は、ＬＡＮケーブルのＰｏＥ（Ｐｏｗｅｒ  ｏｖｅｒ  Ｅｔｈｅｒｎｅｔ（登録商標）；イーサーネットの接続ケーブルを使って電力を供給する技術）を用いて回線からのＤＣ電圧をＤＣ／ＤＣコンバータに供給し、各部の回路ブロックに必要な動作電圧（Ｖｃｃなど）を得るために、降圧または昇圧して各部に供給する。電源部１（Ａ）または（Ｂ）は、いずれか接続された回線により作動する。
【００３９】
なお、電源部１（Ａ）、（Ｂ）の各ＤＣ／ＤＣコンバータの出力には、逆流防止用のダイオードを介して各部回路に供給されているので、局給電タイプ（記載されていないＡＣ電源部）も可能である。
【００４０】
ピンポン伝送部２は、ピンポン伝送方式（Ｐｉｎｇ−Ｐｏｎｇ  ｔｒａｎｓｍｉｓｓｉｏｎ  ｓｙｓｔｅｍ（Ｐ．Ｐ）；１対（２芯）メタリック電話回線でのパルス双方向伝送）による従来の電話回線伝送技術であり、回線側を回線切替スイッチ９に接続し、Ｐ．Ｐ処理機能回路の他端は制御部５（ＢＡＳＥ−Ｂａｎｄ）に接続されるピンポン伝送処理回路である。
【００４１】
ＡＤＳＬインタフェース部３は、回線側を回線切替スイッチ９に接続し、ＡＤＳＬ（Ａｓｙｍｍｅｔｒｉｃ  Ｄｉｇｉｔａｌ  Ｓｕｂｓｃｒｉｂｅｒｅ  Ｌｉｎｅ；ＡＤＳＬ勧告Ｇ９９２．１、ＡＤＳＬ−ｌｉｔｅ勧告Ｇ９９２．２規格準拠）であり、２芯銅線（メタリック）の加入者電話回線を利用して高速データ通信を可能にする通信方式のＭＯＤＥＭ機能回路である。
【００４２】
ＡＤＳＬ  ＭＯＤＥＭ機能回路には、ＡＴＭ（Ａｓｙｎｃｈｒｏｎｏｕｓ  Ｔｒａｎｓｆｅｒ  Ｍｏｄｅ；非同期転送モード）およびＰＰＰ回線接続手順（Ｐｏｉｎｔ  ｔｏ  Ｐｏｉｎｔ  Ｐｒｏｔｏｃｏｌ；電話回線を通じてコンピュータをネットワークに接続するダイアルアップ接続でよく使われるプロトコル）の処理機能を有する。
【００４３】
ＡＦＥ（Ａｎａｌｏｇ  Ｆｒｏｎｔ  Ｅｎｄ；アナログフロントエンド）、ＤＭＴ（Ｄｉｓｃｒｅｔｅ  Ｍｕｌｔｉ  Ｔｏｎｅ；使用帯域を再分割し、各周波数をＱＡＭ変調する方式）およびＡＴＭ処理機能を有するＡＤＳＬ  ＭＯＤＥＭ  ＩＣとして回路実現される。  ＡＤＳＬインタフェース部３のＡＤＳＬ処理された音声データの入出力は、ＭＰＵのバスラインに接続され、この音声データが、制御部５（ＭＰＵ−ＣＯＲＥ）の管理下でデータ入出力転送されるバスラインに載せられる。
【００４４】
ＬＡＮインタフェース部４は、ＬＡＮＣ（ＬＡＮ  Ｃｏｎｔｒｏｌｅｒ）回路と、ＰＨＹ（Ｐｈｙｓｉｃａｌ  Ｌａｙｅｒ；ネットワークプロトコルの物理接続規定；Ｅｔｈｅｒｎｅｔ（登録商標）フレーム；ＩＥＥＥ８０２．３  ＬＡＮ規格準拠の伝送プロトコル）回路との機能回路を有し、ＬＡＮＣが、一方を制御部５（ＭＰＵ−ＣＯＲＥ回路）の内部バスラインに接続され、他方をＰＨＹに接続され、ＰＨＹが、外部回線側にあって、ライントランスを介して、ＬＡＮ接続部１０および電源部１（Ｂ）に接続される回路構成である。
【００４５】
これらの回路の動作によってＬＡＮインタフェース制御を行う処理回路である。音声データは、ＭＰＵ−ＣＯＲＥ回路の内部バスラインに載せられる。
【００４６】
制御部５は、ＩＰ−ＢＳ装置２０の中央処理装置であるＭＰＵ−ＣＯＲＥ回路と、これに接続され、無線用の変復調を行うＭＯＤＥＭ回路と、ＭＰＵ−ＣＯＲＥと接続され、ベースバンド信号処理を行うＢＡＳＥ−Ｂａｎｄ回路を有し、ＭＰＵ−ＣＯＲＥは、内部および外部バスラインと接続されている。
【００４７】
制御部５の機能回路は、ＬＡＮインタフェース部４に有するＬＡＮＣ回路およびＰＨＹ回路を含めた１チップＩＣとして実現されてもよい。
【００４８】
制御部５のＭＰＵ−ＣＯＲＥの機能は、外部または内部バスラインを介して、ＡＤＳＬインタフェース部３との間のデータ転送処理、ＬＡＮインタフェース部４との間のデータ転送処理および、符号変換部７（ＤＰＲＡＭ）のデータ授受の制御を行う。更に、ＭＰＵ−ＣＯＲＥとの個別接続によりベースバンド信号処理を行うＢＡＳＥ―Ｂａｎｄ回路を制御し、無線部６との信号授受のためＭＯＤＥＭ制御を行う。また、ＶｏＩＰ機能を達成させるために、無線インタフェース回路（ＭＯＤＥＭ）との間の音声データに対して符号変換のための制御処理を行う。
【００４９】
ＭＰＵ−ＣＯＲＥ管理下のバスラインには、プログラムなどの記憶メモリとしてフラッシュメモリ（Ｆｌａｓｈ  Ｍｅｍｏｒｙ）およびデータなどの一時記憶メモリとしてＲＡＭが接続されている。
【００５０】
無線部６は、その一方は制御部５（ＭＯＤＥＭ回路）と接続され、他方はアンテナに接続され、アンテナを介して、無線によるＰＨＳ端末機４０（ＰＳ）との回線を構成させるため、無線用の変復調、周波数変換、増幅などの機能を有する。
【００５１】
符号変換部７は、バスラインに接続されたＤＰＲＡＭ（デュアルポートＲＡＭ）と、ＤＰＲＡＭに接続されたＣＰＬＤ  Ｓ／Ｐ（Ｃｏｍｐｌｅｘ  Ｐｒｏｇｒａｍｍａｂｌｅ  Ｌｏｇｉｃ  Ｄｅｖｉｃｅによるパラレルシリアル変換回路）と、一方がＣＰＬＤ  Ｓ／Ｐに接続され、他方が制御部５（ＢＡＳＥ−Ｂａｎｄ）に接続されたＡＤＰＣＭ／ＰＣＭ（ＡＤＰＣＭ；Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ；ＰＨＳシステムで用いられる音声符号化方式、ＰＣＭ；Ｐｕｌｓｅ  Ｃｏｄｅ  Ｍｏｄｕｌａｔｉｏｎ；アナログ信号の標本化を用いたパルス符号変調方式）の機能ＩＣにより構成され、本発明の中枢部を成している。
【００５２】
ここで、ＰＨＳのシステムで用いられる音声符号化方式は、ＡＤＰＣＭ符号（４ｂｉｔ構成）であり、一方、ＶｏＩＰのシステムで用いられる音声符号化方式は、ＰＣＭ符号（８ｂｉｔ構成）であるので、符号変換部７（ＡＤＰＣＭ／ＰＣＭ）では、符号方式の異なる両符号方式間の符号変換を行う。
【００５３】
２線式メタリックケーブル接続部８は、外部ＡＤＳＬ回線に接続される端子台（３端子）および外部Ｐ．Ｐ伝送回線に接続されるモジュラコネクタ（ＲＪ−１１；一般電話回線（通常２線式）に使われる６極のモジュラ式コネクタ）を備えている。
【００５４】
更に、内部回路にあっては、直流阻止のためのコンデンサを介して回線切替スイッチ９に接続され、交流阻止のためのコイルを介して、電源部１（Ａ）に接続される。
【００５５】
なお、２線式各ラインとアース間には、耐雷対策用のサージアブソーバ素子が接続されている。
【００５６】
回線切替スイッチ９は、ＩＰ−ＢＳ装置２０がＡＤＳＬ回線に接続された場合、２線式メタリックケーブル接続部８（端子台）の回路をＡＤＳＬインタフェース部３に接続するように、他方、ＩＰ−ＢＳ装置２０がＰ．Ｐ伝送回線に接続された場合、２線式メタリックケーブル接続部８（ＲＪ−１１）の回路をピンポン伝送部２に接続するように、回路切替えを行う。
【００５７】
ＬＡＮ接続部１０は、外部ＬＡＮ回線に接続のためにＲＪ−４５（Ｅｔｈｅｒｎｅｔ（登録商標）；イーサネット（登録商標）またはＩＳＤＮ回線接続に使われる８極のモジュラ式コネクタ）が備えられ、内部にあっては、ＬＡＮインタフェース部４および電源部１（Ｂ）に接続されている。
【００５８】
ピンポン伝送部２は、回線切替スイッチ９を介して、回線側をＲＪ−１１に接続し、Ｐ．Ｐ処理機能回路の他端が制御部５（ＢＡＳＥ−Ｂａｎｄ回路）に接続される従来技術であるピンポン伝送処理回路である。
【００５９】
次に、ＰＳ４０との交信時、符号変換部７における信号の流れについて説明する。
【００６０】
無線部６（受信モード）から制御部５（ＭＯＤＥＭ、ＢＡＳＥ−Ｂａｎｄ）を経て再生された音声データであるＡＤＰＣＭ符号をＡＤＰＣＭ／ＰＣＭでＰＣＭ符号に変換し、ＣＰＬＤ  Ｓ／Ｐにてシリアル符号をパラレル符号に変換し、更に、パラレル符号をＤＰＲＡＭの所定位置のメモリ領域に記憶させ格納する。
【００６１】
ＤＰＲＡＭに格納されたＰＣＭ符号の音声データは、制御部５（ＭＰＵ−ＣＯＲＥ）の管理下にあるバスラインに読み出されて、ＡＤＳＬ回線接続であれば、ＡＤＳＬインタフェース部３に転送され、ＬＡＮ回線接続であれば、ＬＡＮインタフェース部４に転送される。
【００６２】
一方、ＡＤＳＬ回線またはＬＡＮ回線により伝送されてきた音声データ（ＰＣＭ符号）は、ＡＤＳＬインタフェース部３またはＬＡＮインタフェース部４にて、それぞれの回線プロトコル処理が行われＰＣＭ符号の音声データ列として取り込まれ、制御部５（ＭＰＵ−ＣＯＲＥ）の管理下にあるバスライン上に読み出されて、更に、ＤＰＲＡＭの所定位置のメモリ領域に記憶される。
【００６３】
ＤＰＲＡＭの所定位置のメモリ領域に記憶されたＰＣＭ符号をパラレル→シリアル変換し、ＡＤＰＣＭ／ＰＣＭにてＡＤＰＣＭ符号に変換し、制御部５（ＢＡＳＥ−Ｂａｎｄ、ＭＯＤＥＭ）を経て無線部６（送信モード）へＡＤＰＣＭ符号の音声データとして信号が転送される。
【００６４】
以上の実施例の構成を備えることにより、ＰＨＳ無線インタフェースを持つＰＨＳ無線基地局において、従来システム方式のピンポン伝送インタフェースに加え、ＶｏＩＰ機能を持たせたＬＡＮインタフェースおよびＡＤＳＬインタフェースを有する装置になる。
【００６５】
本発明によれば、ＡＤＰＣＭ符号とＰＣＭ符号間で相互変換する機能を有するので、ＰＳ（コードレス子機）が送受信するＡＤＰＣＭ符号化音声と、ＩＰ電話が送受信するＰＣＭ符号化音声との接続を可能とした中継が行える構内ＰＨＳ基地局（ＩＰ−ＢＳ）装置にされた無線基地局装置を提供できる。
【産業上の利用可能性】
【００６６】
本発明は、移動通信に用いられる無線通信システムに適用されて、一例として、事業所内の連絡網として利用することができる。
【図面の簡単な説明】
【００６７】
【図１】本発明のＩＰ−ＢＳ装置（ＩＰ対応構内ＰＨＳ基地局）のブロック図である。
【図２】本発明のＩＰ対応構内ＰＨＳのシステム構成図である。
【図３】従来技術のＢＳ（ＰＨＳ無線基地局）のブロック図である。
【符号の説明】
【００６８】
１（Ａ）、１（Ｂ）  電源部
２  ピンポン伝送部
３  ＡＤＳＬインタフェース部
４  ＬＡＮインタフェース部
５  制御部
６  無線部
７  符号変換部
８  ２線式メタリックケーブル接続部
９  回線切替スイッチ
１０  ＬＡＮ接続部
２０、２０（Ａ）、２０（Ｂ）、２０（Ｃ）  ＩＰ−ＢＳ装置（ＩＰ対応構内ＰＨＳ基地局）
２１  ＢＳ（ＰＨＳ無線基地局）
３０  制御装置（ＣＴＥ）
４０  ＰＨＳ端末機（ＰＳ）
【図１】
2009171105.tif 000003
【図２】
2009171105.tif 000004
【図３】
2009171105.tif 000005